(57)【特許請求の範囲】
【請求項１】
車両のバンパーに形成したフォグランプ取付け穴内に、フォグランプを取付けるフォグランプの取付け構造において、上記取付け穴は、バンパー前方に開口しバンパーの背面側へ突出する筒状に形成し、フォグランプの左右両側面にそれぞれ外側へ突出する左右一対の軸部を形成し、上記取付け穴の左右の両側壁には、取付け穴の開口端に位置し、互いの間隔が上記両軸部の先端間の間隔より大きい広幅部と、該広幅部の後方に位置し、互いの間隔が上記両軸部の先端間の間隔より小さい狭幅部を設けて、上記狭幅部にそれぞれ上記各軸部を回転可能に嵌入させる軸受け孔を形成し、少なくとも一方の上記軸受け孔の前縁から上記狭幅部の前端までを、フォグランプを前方より取付け穴に挿入する際上記軸部の通過を許容すべく外方に撓み変形可能とし、フォグランプを上記取付け穴に挿入して上記軸部を上記軸受け孔に嵌入する一方、フォグランプの下面と上記取付け穴の下壁とを、上記軸部を中心としてフォグランプを上下方向に回転せしめるエイミング装置を介して連結したことを特徴とするフォグランプの取付け構造。
【請求項２】
上記エイミング装置は、上記フォグランプの下面に設けたねじ穴に先端を螺入し上記下面に沿って前後方向に配したねじ軸と、該ねじ軸に取付けられ工具により操作されてねじ軸と一体に回転せしめられる操作部と、上記ねじ軸の後端に回転可能に係着されたクリップを備え、フォグランプを上記取付け穴へ挿入する時に、上記クリップを取付け穴の下壁に形成した係止部に嵌合係止してフォグランプと取付け穴とを連結し、上記操作部を介してねじ軸を回転せしめて、フォグランプの下面を前方へまたは後方へ移動せしめることにより、フォグランプを上記両軸部を中心に上下方向に回動させる請求項１記載のフォグランプの取付け構造。
【発明の詳細な説明】
【０００１】
【発明の属する技術分野】
本発明は車両のバンパーに取付けるフォグランプ、特に、光軸調整可能なフォグランプの取付け構造に関するものである。
【０００２】
【従来の技術】
従来、車両のフロントバンパーにフォグランプを嵌め込むように一体に取付けたものがある。図３にこの種のフォグランプの取付け構造の従来例を示す。フロントバンパーＢには前面の左右両端付近（図はその一方のみを示す）にフォグランプ１Ａを挿入する取付け穴３Ａが形成してある。該取付け穴３ＡはフロントバンパーＢ前方に開口しバンパーＢの背面側へ突出する筒状で、後端には内側へ張り出す左右一対の固定フランジ３３を備えている。そして、フォグランプ１Ａは、取付け穴３Ａにその前方より挿入し、後面を固定フランジ３３にその裏側からタッピングスクリュウＳ等によりねじ締め固定している。
【０００３】
また、図４に示すように、フォグランプ１Ａの上面および下面に後方に向かって横幅が小さく形成されたテーパ形状の凸起部１２ａ，１２ｂを形成する一方、取付け穴３Ａの周壁３０を構成する上壁３０ａおよび下壁３０ｂに上記凸起部１２ａ，１２ｂを受け入れてフォグランプ１Ａの位置決めを行うテーパ形状の凹状受け部３４ａ，３４ｂを設けたものが考案されている（実公平７−２３３０４号）。これは、フォグランプ１Ａを前方より取付け穴３Ａへ挿入してフォグランプ１Ａを取付け穴３Ａの後端にねじ締め固定する際に、フォグランプ１Ａの挿入につれてフォグランプ１Ａの位置ずれを修正して取付け位置精度を向上し、もってフォグランプ１Ａの光軸を合わせている。
【０００４】
【発明が解決しようとする課題】
しかしながら、従来構造では、バンパーＢの取付け穴３Ａにその前方から挿入したフォグランプ１ＡをバンパーＢの裏側からねじ締め固定しているので、フォグランプ１Ａの取付けに際してバンパーＢの表裏両側からの作業となり、取付け作業性がよくない。
【０００５】
また、フォグランプ１Ａの光軸合わせはバンパーＢの取付け穴３Ａへフォグランプ１Ａを位置決め固定することで行われ、取付けた後で光軸調整することができない。フォグランプ１ＡはバンパーＢに対しては精度よく取付けても、車体へのバンパーＢの取付け精度にばらつきが生じると車体に対してフォグランプ１Ａの光軸がずれる。この場合、フォグランプ１Ａの光軸を修正するにはバンパーＢの車体への取付けを修正しなければならず手間を要す。そこで本発明は、取付け作業性が良好で、かつ、取付け後に光軸調整が可能なフォグランプの取付け構造を提供することを課題としてなされたものである。
【０００６】
【課題を解決するための手段】
本発明は、車両のバンパーに形成したフォグランプ取付け穴内に、フォグランプを取付けるフォグランプの取付け構造において、上記取付け穴は、バンパー前方に開口しバンパーの背面側へ突出する筒状に形成する。フォグランプの左右両側面にそれぞれ外側へ突出する左右一対の軸部を形成する。上記取付け穴の左右の両側壁には、取付け穴の開口端に位置し、互いの間隔が上記両軸部の先端間の間隔より大きい広幅部と、該広幅部の後方に位置し、互いの間隔が上記両軸部の先端間の間隔より小さい狭幅部を設けて、上記狭幅部にそれぞれ上記各軸部を回転可能に嵌入させる軸受け孔を形成し、少なくとも一方の上記軸受け孔の前縁から上記狭幅部の前端までを、上記フォグランプを前方より取付け穴に挿入する際に上記軸部の通過を許容すべく外方に撓み変形可能とする。上記フォグランプを上記取付け穴に挿入して上記軸部を上記軸受け孔に嵌入する一方、フォグランプの下面と上記取付け穴の下壁とを、上記軸部を中心としてフォグランプを上下方向に回転せしめるエイミング装置を介して連結する（請求項１）。
【０００７】
上記エイミング装置は、上記フォグランプの下面に設けたねじ穴に先端を螺入し上記下面に沿って前後方向に配したねじ軸と、該ねじ軸に取付けられ工具により操作されてねじ軸と一体に回転せしめられる操作部と、上記ねじ軸の後端に回転可能に係着されたクリップを備え、フォグランプを上記取付け穴へ挿入する時に、上記クリップを取付け穴の下壁に形成した係止部に嵌合係止してフォグランプと取付け穴とを連結し、上記操作部を介してねじ軸を回転せしめて、フォグランプの下面を前方へまたは後方へ移動せしめることにより、フォグランプを上記両軸部を中心に上下方向に回動させる（請求項２）。
【０００８】
フォグランプは、取付け穴にその前方から押し込むことで、フォグランプの各軸部をそれぞれ無理なく取付け穴の各軸受け孔に嵌入させ回転可能に支持せしめることができる。そして、エイミング装置を操作することで、フォグランプの光軸を調整することができる。
【０００９】
【発明の実施の形態】
図１および図２に示すように、合成樹脂で形成したフロントバンパーＢの前面の側端には、フォグランプ１を挿入してこれを取付けるフォグランプ取付け穴３が形成してある。フォグランプ取付け穴３はフロントバンパーＢ前方にほぼ円形に開口しフロントバンパーＢの背面側へ突出する円筒状に形成してある。
【００１０】
フォグランプ１は、前方へ開口するほぼ円筒容器状のランプケース１０の前端開口をレンズ板１１で塞いだ構造で、ランプケース１０の後端の開口にはランプケース１０内に突出する電球Ｖが嵌め込んである。フォグランプ１のランプケース１０の外径は上記取付け穴３の周壁３０の内径よりもひとまわり小さく、フォグランプ１を取付け穴３に挿入したとき、ランプケース１０の外周面と取付け穴３の周壁３０との間に隙間ができるようにしてある。
【００１１】
フォグランプ１のランプケース１０の左右両側面の前後方向中間位置には径方向対象位置に、外側方向へ突出する円柱状の軸部２ａ，２ｂが突設してある。各軸部２ａ，２ｂの先端面は後半部がテーパー状に削り落としてある。各軸部２ａ，２ｂの前側には第１の突出部２１が、後側には第２の突出部２２がそれぞれ一体に形成してある。
【００１２】
フォグランプ取付け穴３の周壁３０を構成する左右の両側壁４０ａ，４０ｂには、取付け穴３の開口端に位置し、互いの間隔が上記両軸部２ａ，２ｂの先端間の間隔より大きい広幅部４１ａ，４１ｂと、広幅部４１ａ，４１ｂの後方に位置し、互いの間隔が上記両軸部２ａ，２ｂの先端間の間隔より小さい狭幅部４２ａ，４２ｂとが形成してある。狭幅部４２ａ，４２ｂの前端部には前方に向かって拡開する傾斜部４ａ，４ｂが形成してある。また、傾斜部４ａ，４ｂの後端にはフォグランプ１を取付け穴３に挿入したときに、各軸部２ａ，２ｂの先端部を受け入れてこれを回転可能に支持する軸受け孔５ａ，５ｂが形成してある。
【００１３】
一方の軸受け孔５ａの前方位置には弾性部６が設けてある。弾性部６は、取付け穴３の側壁４０ａを広幅部４１ａの後端から軸受け孔５ａの前縁にかけてほぼコ字形に切り込んで、前端を残して外周縁を側壁４０ａから分離させて舌片状に形成し、後端側を側壁４０ａの外方に撓み変形可能としたものである。弾性部６の後端には、傾斜部４ａに沿って傾斜する傾斜部６１が形成してあり、その先端縁は軸受け孔５ａに臨み、軸受け孔５ａの開口前縁を形成している。
【００１４】
更に、取付け穴３の下壁４０ｃには後端に、内方へ突出する起立壁７が設けてあり、その中央には貫通穴７１が形成してある。
【００１５】
また、フォグランプ１のランプケース１０の下面には下方に向かって突出する壁状の突起部８が形成してあり、突起部８には中央の貫通穴に合成樹脂よりなるリング状のグロメット８０が嵌合固着してあり、該グロメット８０はその中央にねじ穴８１を備えている。そして、突起部８にはランプケース１０の下面に沿って前後方向に配設したエイミング装置９が取付けてある。
【００１６】
エイミング装置９は、中間位置に工具により回転操作する冠ギヤ９０を嵌着したねじ軸９１を備え、ねじ軸９１は先端側が突起部８の後方よりグロメット８０のねじ穴８１に螺入してある。そして、ねじ軸９１の先端末にはねじ穴８１からの抜け落ちを防ぐストッパ９３が取付けてある。ねじ軸９１の後端は一般部よりも大径の球面部９２としてあり、ねじ軸９１の後端にはクリップ９４が係着してある。クリップ９４は合成樹脂の筒状で、一端には厚肉のフランジ部９４１が形成してあり、これと対向して外周の周方向に係止爪９４２が形成してある。また、クリップ９４の上記一端側の内面は凹状曲面としてある。クリップ９４は、その一端からねじ軸９１の後端の球面部９２を押し込んで上記凹状曲面に嵌合させることで、ねじ軸９１に回動可能に係着してある。
【００１７】
フォグランプ１をフロントバンパーＢに取付けるにはフロントバンパーＢの取付け穴３に前方からフォグランプ１を挿入する。フォグランプ１を挿入していくと、軸部２ａが軸受け孔５ａ前方の弾性部６の傾斜部６１に当接するとともに軸部２ｂが軸受け孔５ｂ前方の傾斜部４ｂに当接する。更にフォグランプ１を押し込むと、軸部２ｂのテーパー面が傾斜部４ｂに案内されてフォグランプ１は軸部２ａ側へ横方向に若干ずれ、このとき、弾性部６はその傾斜部６１が軸部２ａに押し出されることにより撓む。そして、軸部２ｂが傾斜部４ｂを乗り越えるとフォグランプ１の上記横ずれは修正され、軸部２ｂが軸受け孔５ｂに嵌入する一方、軸部２ａも弾性部６の傾斜部６１を乗り越えて軸受け孔５ａに嵌入し、弾性部６が復元して、各軸部２ａ，２ｂは軸受け孔５ａ，５ｂに回転可能に支持される。
【００１８】
各軸部２ａ，２ｂがそれぞれ各軸受け孔５ａ，５ｂに嵌入すると、軸部２ａ，２ｂの第１の突出部２１および第２の突出部２２が軸受け孔５ａ，５ｂの開口まわりに当接する。
【００１９】
また、取付け穴３への挿入により、ランプケース１０の下面に取付けたエイミング装置９後端のクリップ９４が取付け穴３の下面後端の起立壁７の貫通穴７１に前方より圧入され、クリップ９４のフランジ部９４１と係止爪９４２の間の溝に起立壁７の貫通穴７１の開口縁が係合する。これにより、起立壁７に嵌合したクリップ９４がねじ軸９１の後端を支持し、フォグランプ１の下面と取付け穴３の下壁４０ｃはエイミング装置９のねじ軸９１を介して連結される。
【００２０】
このようにフォグランプ１はフロントバンパーＢの取付け穴３内にその前方から挿入し押し込むのみで、フォグランプ１は両側部と下部の３点で取付け穴３の周壁３０に支持せしめられ取付けを完了することができる。従って、フォグランプ１の取付け作業は、従来のようにバンパーＢの背面側からの作業を必要としないのでフォグランプ１の取付け作業性が向上する。
【００２１】
また、フォグランプ１は、エイミング装置９により上下方向に回動させて光軸を調整することができる。光軸の調整は、取付け穴３の下壁４０ｃに形成した作業穴３２に下方から工具、例えばプラスドライバＤを挿通し、ねじ軸９１と直交方向にドライバＤの先端を冠ギヤ９０に当接係合する。そしてドライバＤを回転させて、冠ギヤ９０を回すと冠ギヤ９０とともにねじ軸９１も回転する。ねじ軸９１の回転により、その先端を螺入した突起部８と一体にフォグランプ１の下面側がエイミング装置９のねじ軸９１を上下に揺動させつつ前進または後退する。これにより、フォグランプ１は左右両側の軸部２ａ，２ｂを中心に上下に回動せしめられ、フォグランプ１の上下角度を調整して光軸を合わせる。
【００２２】
フォグランプ１は、各軸部２ａ，２ｂの第１および第２の突出部２１，２２をそれぞれ取付け穴３の周壁３０の左右両側壁４０ａ，４０ｂに当接せしめ、フォグランプ１の取付け穴３内での幅方向の位置決めを行うので、横方向にがたつかない。
【００２３】
上述の実施の形態において、上記弾性部６を一方の軸受け孔５ａの直前位置にのみ設ける構造としたが、弾性部６は周壁３０の左右両側の軸受け孔５ａ，５ｂの直前位置に設けるようにしてもよい。
【００２４】
【発明の効果】
本発明によれば、フォグランプをバンパーへ取付ける際に、フォグランプをバンパーの取付け穴内に押し込むだけでフォグランプの取付けが完了し、フォグランプの取付け作業性を向上することができる。更に、フォグランプは取付け後に任意に光軸調整を行うことができる。
【図面の簡単な説明】
【図１】本発明のフォグランプの取付け構造を示す分解斜視図である。
【図２】本発明のフォグランプの取付け構造を示す断面図で、図２（Ａ）は図１のＩＩ−ＩＩ線に沿う位置での横断面図、図２（ｂ）は図１のＩＩ−ＩＩ線に沿う位置での縦断面図ある。
【図３】従来のフォグランプの取付け構造を示す分解斜視図である。
【図４】従来の他のフォグランプの取付け構造を示す分解斜視図である。
【符号の説明】
Ｂ  バンパー
１  フォグランプ
２ａ，２ｂ  軸部
３  取付け穴
４０ａ，４０ｂ  側壁
４０ｃ  下壁
４１ａ，４１ｂ  広幅部
４２ａ，４２ｂ  狭幅部
５ａ，５ｂ  軸受け孔
６  弾性部
７  係止部（起立壁）
８  突起部
８１  ねじ部（ねじ穴）
９  エイミング装置
９０  操作部（冠ギヤ）
９１  ねじ軸
９４  クリップ
【図１】
0003581045.tif 000002
【図２】
0003581045.tif 000003
【図３】
0003581045.tif 000004
【図４】
0003581045.tif 000005